(57)【要約】【課題】アウターに固定されるパッドタイプ使い捨ておむつの装着容易性を改善する。【解決手段】上記課題は、表面同士が合わさるように前後方向に二つ折りされ、折目２０１と、折目２０１よりも前側に位置する前側領域Ｆ１と、折目２０１よりも後側に位置する後側領域Ｂ１とを有し、前側領域Ｆ１及び後側領域Ｂ１に吸収体２３が内蔵され、前側領域Ｆ１及び後側領域Ｂ１の裏面に粘着剤層３０が設けられている、パッドタイプ吸収性物品において、吸収体２３は、前側領域Ｆ１に位置する部分及び後側領域Ｂ１に位置する部分における前後方向の中間に、幅方向に沿うスリット２３ｓをそれぞれ有している、ことにより解決される。【選択図】図８
2019146916.tif 000002
【特許請求の範囲】
【請求項１】
肌側の表面同士が合わさるように前後方向に二つ折りされ、
折目と、折目よりも前側に位置する前側領域と、折目よりも後側に位置する後側領域とを有し、
前記前側領域及び前記後側領域に吸収体が内蔵され、
前記前側領域及び後側領域の裏面に粘着剤層が設けられている、
パッドタイプ吸収性物品において、
前記吸収体は、前記前側領域に位置する部分及び前記後側領域に位置する部分の少なくとも一方における前後方向の中間に、幅方向に沿うスリット若しくは溝を有している、
ことを特徴とするパッドタイプ吸収性物品。
【請求項２】
パッドタイプ吸収性物品の前端の位置を０％とし、パッドタイプ吸収性物品の後端の位置を１００％としたとき、前記幅方向に沿うスリット若しくは溝は、３０〜４０％の位置及び６０〜７０％の位置にそれぞれ設けられている、
請求項１記載のパッドタイプ吸収性物品。
【請求項３】
前記粘着剤層は、前記幅方向に沿うスリット若しくは溝と重なる部分に設けられていない、
請求項１又は２記載のパッドタイプ吸収性物品。
【請求項４】
前記吸収体は、前記幅方向に沿うスリット若しくは溝よりも前側及び後側の少なくとも一方における幅方向中間に、前記幅方向に沿うスリット若しくは溝、又はその近傍から前後方向に延びるスリット若しくは溝を有している、
請求項１〜３のいずれか１項に記載のパッドタイプ吸収性物品。
【発明の詳細な説明】
【技術分野】
【０００１】
本発明は、特にテープタイプやパンツタイプ等の使い捨ておむつ又は下着（以下、総称してアウターともいう）の内面に固定して使用されるパッドタイプ吸収性物品に関するものである。
【背景技術】
【０００２】
このようなパッドタイプ吸収性物品の一つとして、おむつ交換費用の低減や、トイレトレーニングを目的としてアウターの内面に取り付けて使用されるパッドタイプ使い捨ておむつがある（例えば特許文献１参照）。また、生理用ナプキンもアウターに固定されるパッドタイプ吸収性物品に含まれる。
【０００３】
一般に、アウターに固定されるパッドタイプ使い捨ておむつの裏面には、粘着剤層からなる粘着剤層が設けられており、この粘着剤層がおむつ又は下着の内面に粘着されることにより装着時のズレが防止されるようになっている。
【０００４】
また、一般的なパッドタイプ吸収性物品は、三つ折りや二つ折りに折り畳まれた状態で販売されている。例えば三つ折りのパッドタイプ吸収性物品３００は、図９（ａ）に示すように表側内側に隠れるように、前後方向中間に位置する中間領域３０２の上に、中間領域よりも前側に位置する前領域３０１、及び中間領域３０２よりも後側に位置する後領域３０３が折り返されたものである。図９（ｂ）は三つ折りのパッドタイプ吸収性物品３００の一般的な装着方法を示している。すなわち、三つ折り状態のパッドタイプ吸収性物品３００を装着する際には、前領域３０１及び後領域３０３を起こしてＵ字形状にした後、中間領域３０２からアウター１００内に導入し、中間領域３０２をアウター１００の股間部の内面に手で押し付けて中間領域３０２の裏面の粘着剤層３０をアウター１００内面に粘着させた後、前領域３０１及び後領域３０３をアウター１００内面に押し付けて前領域３０１及び後領域３０３の裏面の粘着剤層３０をアウター１００内面に粘着させる。
【０００５】
しかし、この場合、パッドタイプ吸収性物品３００は、三つ折り状態の折り癖により前後に長いＵ字形状になるため、アウター１００内に導入しにくい。このため、中間領域３０２の粘着剤層３０をアウター１００の適切な位置に粘着させる前に、中間領域３０２の粘着剤層３０の前後端部や、前領域３０１又は後領域３０３の粘着剤層３０が、アウター１００の不適切な位置に誤って粘着してしまうことがあり、この点で装着容易性について改善の余地がある。
【０００６】
一方、二つ折りのパッドタイプ吸収性物品４００は、図１０（ａ）に示すように表面同士が合わさるように二つ折りされたものであり、前後方向の中央部に位置する折目４０１と、折目４０１よりも前側に位置する前側領域Ｆ１と、折目４０１よりも後側に位置する後側領域Ｂ１とを有するものである。図１０（ｂ）及び図１１は二つ折りのパッドタイプ吸収性物品４００の一般的な装着方法を示している。すなわち、二つ折り状態のパッドタイプ吸収性物品４００を装着する際には、折目４０１と反対側から前側領域Ｆ１及び後側領域Ｂ１の間に手を入れ、薄いＶ字形状の状態で、折目４０１側からアウター１００内に導入し、折目４０１及びその近傍をアウター１００の股間部の内面に押し付けて裏面の粘着剤層３０をアウター１００内面に粘着させた後、押し付け位置を前後方向にずらしながら粘着領域を前側領域Ｆ１及び後側領域Ｂ１の全体まで広げる。
【０００７】
しかし、折目４０１及びその近傍をアウター１００の股間部の内面に押し付けて裏面の粘着剤層３０をアウター１００内面に粘着させた後、押し付け位置を前後方向に移動させながら粘着領域を前側又は後側に広げる際、一度に前後両側を押し付けることができない。また、二つ折りのパッドタイプ吸収性物品４００は、前後方向の中間に折り癖が残っているものの、その他の部分は吸収体２３の剛性により曲がりにくいため、Ｖ字形状を維持しようとする力が働きやすい。このため、図１１に示すように、折目４０１及びその近傍をアウター１００の股間部の内面に粘着させた後に、粘着領域を前後方向に広げる際、押し付け位置よりも先の未押し付け領域Ｆ２，Ｂ２が倒れてアウター１００の不適切な位置に粘着することがあり、この点で装着容易性について改善の余地がある。
【先行技術文献】
【特許文献】
【０００８】
【特許文献１】特開２０１３−１９２８４９号公報
【特許文献２】特開２０１３−１６６０２９号公報
【発明の概要】
【発明が解決しようとする課題】
【０００９】
そこで、本発明の主たる課題は、アウターに固定されるパッドタイプ使い捨ておむつの装着容易性を改善することにある。
【課題を解決するための手段】
【００１０】
上記課題を解決したパッドタイプ吸収性物品は以下のとおりである。
＜第１の態様＞
肌側の表面同士が合わさるように前後方向に二つ折りされ、
折目と、折目よりも前側に位置する前側領域と、折目よりも後側に位置する後側領域とを有し、
前記前側領域から前記後側領域にかけて吸収体が内蔵され、
前記前側領域及び後側領域の裏面に粘着剤層が設けられている、
パッドタイプ吸収性物品において、
前記吸収体は、前記前側領域に位置する部分及び前記後側領域に位置する部分の少なくとも一方における前後方向の中間に、幅方向に沿うスリット若しくは溝を有している、
ことを特徴とするパッドタイプ吸収性物品。
【００１１】
（作用効果）
本パッドタイプ吸収性物品は、肌側の表面同士が合わさるように前後方向に二つ折りされたものである。したがって、本パッドタイプ吸収性物品をアウターに装着する際には、折目と反対側から前側領域及び後側領域の間に手を入れ、薄いＶ字形状の状態で、折目側からアウター内に導入するため、三つ折りのパッドタイプ吸収性物品のように導入が困難となることがない。
また、吸収体は、前側領域に位置する部分及び前記後側領域に位置する部分の少なくとも一方における前後方向の中間に、幅方向に沿うスリット若しくは溝を有しているため、このスリット若しくは溝の位置で本パッドタイプ吸収性物品が前後方向に折れ曲りやすくなっている。その結果、本パッドタイプ吸収性物品をアウター内に導入した後、折目及びその近傍をアウターの股間部の内面に押し付けて裏面の粘着剤層をアウター内面に粘着させた後、押し付け位置を前後方向にずらしながら粘着領域を広げる際、幅方向に沿うスリット若しくは溝と折目との間の部分をアウター内面に押し付けても、押し付け位置よりも先の未押し付け領域が倒れにくい。よって、未押し付け領域が誤ってアウターの不適切な位置に粘着しにくい。まとめると、本パッドタイプ吸収性物品は、狭いアウター内空間に導入しやすく、導入後の粘着作業も容易なものとなる。
なお、スリットは隙間が無いものだけでなく、ある程度の隙間を有するものも含む。また、溝は、エンボス加工等の圧縮加工により局所的に厚み方向に圧縮された圧密部のほか、密度は周囲と同じであるが吸収体材料の目付けが少ない低目付け部を含む。
【００１２】
＜第２の態様＞
パッドタイプ吸収性物品の前端の位置を０％とし、パッドタイプ吸収性物品の後端の位置を１００％としたとき、前記幅方向に沿うスリット若しくは溝は、３０〜４０％の位置及び６０〜７０％の位置にそれぞれ設けられている、
第１の態様のパッドタイプ吸収性物品。
【００１３】
（作用効果）
幅方向に沿うスリット若しくは溝の位置は適宜定めればよいが、本項記載の範囲内であることが好ましい。
【００１４】
＜第３の態様＞
前記粘着剤層は、前記幅方向に沿うスリット若しくは溝と重なる部分に設けられていない、
第１又は２の態様のパッドタイプ吸収性物品。
【００１５】
（作用効果）
パッドタイプ吸収性物品における折れ曲がりやすい部分の裏面に粘着剤層が設けられていると、装着作業中のちょっとした変形で、折れ曲がりやすい部分を挟んで一方側の粘着剤層と他方側の粘着剤層とがくっついてしまい、装着作業が困難になることがある。この種の粘着剤層はアウターに対しては容易に剥離可能であるが、粘着剤層同士の粘着の場合には通常は剥離が困難である。よって、粘着剤層はこのような配置となっていることが好ましい。
【００１６】
＜第４の態様＞
前記吸収体は、前記幅方向に沿うスリット若しくは溝よりも前側及び後側の少なくとも一方における幅方向中間に、前記幅方向に沿うスリット若しくは溝、又はその近傍から前後方向に延びるスリット若しくは溝を有している、
第１〜３のいずれか１つの態様のパッドタイプ吸収性物品。
【００１７】
（作用効果）
本態様のパッドタイプ吸収性物品では、幅方向に沿うスリット若しくは溝、又はその近傍から前後方向に延びるスリット若しくは溝を有しているため、幅方向に沿うスリット若しくは溝よりも前側及び後側の少なくとも一方に位置する部分が、幅方向に折れ曲りやすく、アウターの内面に沿う形状となりやすい。
また、吸収体に幅方向に沿うスリット若しくは溝を設けた場合、排泄物が幅方向に拡散しやすくなり、いわゆる横漏れが発生しやすくなるおそれがある。しかし、本態様のように幅方向に沿うスリット若しくは溝、又はその近傍から前後方向に延びるスリット若しくは溝を有していると、排泄物が幅方向に沿うスリット若しくは溝、又はその近傍から前後方向にも拡散しやすくなり、横漏れのおそれを低減することができる。
【発明の効果】
【００１８】
本発明によれば、アウターに固定されるパッドタイプ吸収性物品の装着容易性が改善する、等の利点がもたらされる。
【図面の簡単な説明】
【００１９】
【図１】展開状態のパッドタイプ使い捨ておむつの表側を示す平面図である。
【図２】展開状態のパッドタイプ使い捨ておむつの裏側を示す平面図である。
【図３】図１のＡ−Ａ断面図である。
【図４】図１のＢ−Ｂ断面図である。
【図５】図１のＣ−Ｃ断面図である。
【図６】展開状態のパッドタイプ使い捨ておむつの表側を示す平面図である。
【図７】パッドタイプ使い捨ておむつの（ａ）二つ折り状態の断面図、（ｂ）装着工程の断面図である。
【図８】パッドタイプ使い捨ておむつの（ａ）装着工程の断面図、（ｂ）装着工程の断面図である。
【図９】パッドタイプ使い捨ておむつの（ａ）三つ折り状態の断面図、（ｂ）装着工程の断面図である。
【図１０】パッドタイプ使い捨ておむつの（ａ）二つ折り状態の断面図、（ｂ）装着工程の断面図である。
【図１１】パッドタイプ使い捨ておむつの装着工程の断面図である。
【図１２】パッドタイプ使い捨ておむつの要部を拡大して示す断面図である。
【図１３】パッドタイプ使い捨ておむつを概略的に示す斜視図である。
【発明を実施するための形態】
【００２０】
以下、パッドタイプ吸収性物品の一つである、パッドタイプ使い捨ておむつの例について添付図面を参照しつつ説明する。図１〜図５は、パッドタイプ使い捨ておむつ２００を示している。このパッドタイプ使い捨ておむつ２００は、前後方向中央よりも前側に延在する前側領域Ｆ１及び前後方向中央よりも後側に延在する後側領域Ｂ１とを有するものである。各部の寸法は適宜定めることができ、例えば、物品全長（前後方向長さ）Ｌ１は２００〜４８０ｍｍ程度、全幅Ｗ１は１２０〜２００ｍｍ程度とすることができる。
【００２１】
パッドタイプ使い捨ておむつ２００は、液不透過性シート２１の内面と、液透過性のトップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙や不織布（図示せず）により包むことができる。また、吸収体２３の形状は、相対的に前側の部分が後側の部分よりも幅広な帯状、あるいは長方形状、台形状等、適宜の形状とすることができる。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２２】
吸収体２３の裏側には、液不透過性シート２１が設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。図示例では、液不透過性シート２１が吸収体２３の周囲にはみ出しているが、吸収体２３の周囲にはみ出していなくてもよい。
【００２３】
液不透過性シート２１の外面（裏面）は、外装シート２５により覆われている。外装シート２５としては各種の不織布を用いることができる。なお、不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。
【００２４】
吸収体２３の表側は、トップシート２２により覆われている。図示例ではトップシート２２の側縁から吸収体２３が一部食み出しているが、吸収体２３の側縁が食み出さないようにトップシート２２の幅を広げることもできる。トップシート２２としては、有孔又は無孔の不織布や穴あきプラスチックシートなどが用いられる。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。
【００２５】
パッドタイプ使い捨ておむつ２００の前後端部は、吸収体２３の前後端よりも前後両側にそれぞれ延び出た、吸収体２３の存在しないエンドフラップ部ＥＦとなっている。エンドフラップ部ＥＦを構成する素材は特に限定されるものではないが、図示例では、液不透過性シート２１、外装シート２５及びトップシート２２における、吸収体２３の前後両側に延び出た部分となっている。
【００２６】
また、パッドタイプ使い捨ておむつ２００の両側部は、吸収体の側方に延び出たサイドフラップ部ＳＦとなっている。サイドフラップ部ＳＦを構成する素材は特に限定されるものではないが、図示例では、液不透過性シート２１、外装シート２５、トップシート２２、及びギャザーシート６２における、吸収体２３の幅方向両側に延び出た部分となっている。これらを含め、素材の貼り合わせは、図中に点模様で示されたホットメルト接着剤の他、ヒートシール、超音波シール等の素材溶着により行うことができる。
【００２７】
（起き上がりギャザー）
トップシート２２上を横方向に移動する尿や軟便を遮り、横漏れを防止するために、使い捨ておむつの表面の幅方向ＷＤの両側には、トップシート２２の側部から肌側に立ち上がる（突出する）起き上がりギャザー６０が前後方向全体にわたり設けられている。
【００２８】
図示例の起き上がりギャザー６０は、サイドフラップ部ＳＦを含む領域に固定された付根部分６５と、この付根部分６５から延び出た突出部分６６と、この突出部分の前後方向両端部が倒伏状態に固定された倒伏部分６７と、突出部分６６のうち前後の倒伏部分間に位置する非固定の起き上がり部分６８と、この起き上がり部分６８の少なくとも先端部に、前後方向に伸張した状態で固定されたギャザー弾性部材６３とを有している。起き上がりギャザー６０は、先端で折り返されたギャザーシート６２により形成されており、ギャザー弾性部材６３は、図示例のように各複数本、間隔を空けて設ける他、各１本設けることができる。ギャザー弾性部材６３を有する部分の伸長率は特に限定されないが、通常の場合１５０〜３５０％が好ましく、２００〜３００％がより好ましい。
【００２９】
図示例の起き上がりギャザー６０の付根部分６５は、サイドフラップ部ＳＦにのみ設けられており、液不透過性シート２１の側部及び外装シート２５の側部に接合されているが、サイドフラップ部ＳＦから吸収体５６と重なる領域の側部まで延びていてもよい。
【００３０】
起き上がりギャザー６０の突出部分６６は、前後方向ＬＤの両端部が倒伏部分となっているものの、その間の部分は非固定の起き上がり部分６８とされており、この起き上がり部分６８がギャザー弾性部材６３の収縮力により起立するようになる。おむつの装着時には、おむつが舟形に体に装着され、そしてギャザー弾性部材６３の収縮力が作用するので、ギャザー弾性部材６３の収縮力により起き上がりギャザー６０が立ち上がり脚周りに弾力的に密着する。その結果、脚周りからのいわゆる横漏れが防止される。
【００３１】
ギャザーシート６２の素材としては、プラスチックシートやメルトブローン不織布を使用することもできるが、肌への感触性の点で、不織布にシリコーンなどにより撥水処理をしたものが好適に使用される。ギャザー弾性部材６３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００３２】
図２、図３及び図５に示すように、前側領域及び後側領域の裏面には、粘着剤層３０が設けられている。粘着剤層３０は、図示例のように、剥離シート３１により剥離可能に被覆しておき、使用時に剥離シート３１を剥離して粘着剤層３０を露出させるのが望ましい。
【００３３】
図示例では、粘着剤層３０を前後方向に沿って連続的に設けているが、前側領域Ｆ１及び後側領域Ｂ１のそれぞれに設けたり、いずれか一方のみに設けたりしても良い。粘着剤層３０を複数設ける場合、前側領域Ｆ１及び後側領域Ｂ１に各少なくとも一つは設けるのが好ましい。
【００３４】
粘着剤層３０は、その全体が吸収体２３と重なる領域内に収まるような寸法及び配置となっているのが好ましい。具体的には、粘着剤層３０の幅Ｗ３は吸収体２３の幅Ｗ２の７０〜８０％程度、前後方向長さＬ３（前後方向に複数設ける場合は総長さ）は吸収体２３の全長Ｌ２の６０〜９５％程度、又は物品全長Ｌ１の５０〜９５％程度であるのが好ましい。粘着剤層３０は吸収体２３と重なる領域からエンドフラップ部ＥＦまで延びていてもよい。
【００３５】
特徴的には、本パッドタイプ使い捨ておむつ２００は、図７（ａ）に示すように、肌側の表面同士が合わさるように前後方向に二つ折りされたものであり、吸収体２３は、前側領域位置する部分の前後方向の中間及び前記後側領域に位置する部分の前後方向の中間に、幅方向に沿うスリット２３ｓをそれぞれ有している。したがって、図７（ｂ）に示すように、本パッドタイプ使い捨ておむつ２００をアウター１００に装着する際には、折目２０１と反対側から前側領域Ｆ１及び後側領域Ｂ１の間に手を入れ、薄いＶ字形状の状態で、折目２０１側からアウター１００内に導入するため、図９に示す三つ折りの製品のように導入が困難となることがない。また、吸収体２３は、前側領域Ｆ１位置する部分の前後方向の中間及び前記後側領域Ｂ１に位置する部分の前後方向の中間に、幅方向に沿うスリット２３ｓをそれぞれ有しているため、このスリット２３ｓの位置で本パッドタイプ使い捨ておむつ２００が前後方向に折れ曲りやすくなっている。その結果、図７（ａ）に示すように、本パッドタイプ使い捨ておむつ２００をアウター１００内に導入した後、折目２０１及びその近傍をアウター１００の股間部の内面に押し付けて裏面の粘着剤層３０をアウター１００内面に粘着させた後、押し付け位置を前後方向にずらしながら粘着領域を広げる際、図８（ａ）に示すように、幅方向に沿うスリット２３ｓと折目２０１との間の部分をアウター１００内面に押し付けても、押し付け位置よりも先の未押し付け領域Ｆ２，Ｂ２が倒れにくい。よって、未押し付け領域Ｆ２，Ｂ２が誤ってアウター１００の不適切な位置に粘着しにくい。まとめると、本パッドタイプ使い捨ておむつ２００は、狭いアウター１００内空間に導入しやすく、導入後の粘着作業も容易なものとなる。
【００３６】
なお、図５（ａ）に示すように、スリット２３ｓは隙間が無いものだけでなく、ある程度の隙間を有するものも含む。また、図５（ｂ）に示すように、スリット２３ｓに代えて溝２３ｄを設けることもできる。溝２３ｄは、エンボス加工等の圧縮加工により局所的に厚み方向に圧縮された圧密部のほか、密度は周囲と同じであるが吸収体２３材料の目付けが少ない低目付け部を含む。スリット２３ｓ若しくは溝２３ｄの幅ｓ（隙間の寸法）は適宜定めることができるが、通常の場合、５〜１５ｍｍ程度とすることが好ましい。また、スリット２３ｓは、図示例のように吸収体２３の一方の側縁から他方の側縁まで連続していると、特に折れ曲りやすくなる。スリット２３ｓは、幅方向の一部のみに設けられていたり、吸収体２３の一方の側縁から他方の側縁まで点線状（断続的）に設けられていたりしてもよい。
【００３７】
幅方向に沿うスリット２３ｓの位置は適宜定めればよいが、折目２０１の前後両側に各一か所以上設けられていることが好ましく、特に図示例のように折目２０１の前後両側に各一か所設けられていることが好ましい。この場合におけるスリット２３ｓの位置は適宜定めることができるが、通常の場合、パッドタイプ使い捨ておむつ２００の前端の位置を０％とし、パッドタイプ使い捨ておむつ２００の後端の位置を１００％としたとき、幅方向に沿うスリット２３ｓは、３０〜４０％の位置及び６０〜７０％の位置にそれぞれ設けられていると好ましい。また、図示例のように吸収体２３に脚周りに沿う括れ部分２３ｎが設けられている場合は、その括れ部分２３ｎにスリット２３ｓが位置していると、より折り曲げやすくなるため好ましい。特に図示例のように、括れ部分２３ｎの前後方向の中間に幅方向寸法が一定の領域Ｍを有する場合には、当該領域の前端部及び後端部にスリット２３ｓが位置していることが好ましい。
【００３８】
図１２（ａ）に示すように、パッドタイプ使い捨ておむつ２００における折れ曲がりやすい部分の裏面に粘着剤層３０が設けられていると、装着作業中のちょっとした変形で、図１２（ｂ）に示すように、折れ曲がりやすい部分を挟んで一方側の粘着剤層３０と他方側の粘着剤層３０とがくっついてしまい、装着作業が困難になることがある。この種の粘着剤層３０はアウター１００に対しては容易に剥離可能であるが、粘着剤層３０同士の粘着の場合には通常は剥離が困難である。よって、図２及等に示すように、粘着剤層３０は、幅方向に沿うスリット２３ｓと重なる部分には設けないことが望ましい。これにより、図１２（ｃ）に示すように、折れ曲がりやすい部分を挟んで一方側の粘着剤層３０と他方側の粘着剤層３０とがくっつくことを防止できる。具体的に、図示例の場合、前側の幅方向に沿うスリット２３ｓより前側の領域Ｆ２、後側の幅方向に沿うスリット２３ｓより後側の領域Ｂ２、及びこれらの幅方向に沿うスリット２３ｓの間の領域Ｍのそれぞれに、幅方向に沿うスリット２３ｓから若干（例えば５〜２０ｍｍ程度）離して粘着剤層３０を設けることが好ましい。
【００３９】
他方、図６に示すように、吸収体２３は、幅方向に沿うスリット２３ｓよりも前側及び後側の少なくとも一方における幅方向中間（特に中央部）に、幅方向に沿うスリット２３ｓ、又はその近傍から前後方向に延びるスリット２３ｃを有しているのも好ましい。この場合、幅方向に沿うスリット２３ｓ、又はその近傍から前後方向に延びるスリット２３ｃを有しているため、図１３に示すように、幅方向に沿うスリット２３ｓよりも前側及び後側の少なくとも一方に位置する部分が、幅方向に折れ曲りやすく、アウター１００の内面に沿う形状となりやすい。また、吸収体２３に幅方向に沿うスリット２３ｓを設けた場合、排泄物が幅方向に拡散しやすくなり、いわゆる横漏れが発生しやすくなるおそれがある。しかし、本態様のように幅方向に沿うスリット２３ｓ、又はその近傍から前後方向に延びるスリット２３ｃを有していると、排泄物が幅方向に沿うスリット２３ｓ、又はその近傍から前後方向にも拡散しやすくなり、横漏れのおそれを低減することができる。
【００４０】
＜明細書中の用語の説明＞
明細書中の以下の用語は、明細書中に特に記載が無い限り、以下の意味を有するものである。
【００４１】
・「前後方向」とは図中に符号ＬＤで示す方向（縦方向）を意味し、「幅方向」とは図中にＷＤで示す方向（左右方向）を意味し、前後方向と幅方向とは直交するものである。
【００４２】
・「表側」とはパンツタイプ使い捨ておむつを着用した際に着用者の肌に近い方を意味し、「裏側」とはパンツタイプ使い捨ておむつを着用した際に着用者の肌から遠い方を意味する。
【００４３】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【００４４】
・「伸長率」は、自然長を１００％としたときの値を意味する。例えば、伸長率が２００％とは、伸長倍率が２倍であることと同義である。
【００４５】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００４６】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００４７】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００４８】
・「展開状態」とは、収縮や弛み無く平坦に展開した状態を意味する。
【００４９】
・各部の寸法は、特に記載が無い限り、自然長状態ではなく展開状態における寸法を意味する。
【００５０】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００５１】
本発明は、裏面に粘着剤層を有するパッドタイプ使い捨ておむつ、生理用ナプキン等の、アウターの内面に固定されるパッドタイプ吸収性物品に利用可能である。
【符号の説明】
【００５２】
２１…液不透過性シート、２２…トップシート、２３…吸収体、６０…起き上がりギャザー、２５…外装シート、３０…粘着剤層、３１…剥離シート、１００…アウター、２００…パッドタイプ使い捨ておむつ、Ｆ１…前側領域、Ｂ１…後側領域、２３ｃ…前後方向に延びるスリット、２３ｓ…幅方向に沿うスリット、２３ｄ…溝、２０１…折目、Ｆ２，Ｂ２…未押し付け領域、２３ｎ…括れ部分。
【図１】
2019146916.tif 000003
【図２】
2019146916.tif 000004
【図３】
2019146916.tif 000005
【図４】
2019146916.tif 000006
【図５】
2019146916.tif 000007
【図６】
2019146916.tif 000008
【図７】
2019146916.tif 000009
【図８】
2019146916.tif 000010
【図９】
2019146916.tif 000011
【図１０】
2019146916.tif 000012
【図１１】
2019146916.tif 000013
【図１２】
2019146916.tif 000014
【図１３】
2019146916.tif 000015